(57)【要約】【課題】酸化被膜で表面が覆われたシールド部材を加工機によらず導通性良くシールドシェルに接続すること。【解決手段】シールドシェル５のシェル内筒７とシェル外筒９とを組み付けて、外筒部９１とこれに圧入した内筒部７１とでシールド部材３の筒部３１を挟持すると共に、内筒フランジ部７３と外筒フランジ部９３とでシールド部材３のフランジ部３３を挟持する。シェル外筒９に対してシェル内筒７を反時計回り方向Ｘに回転移動させて、シェル内筒７の位置決めピン７３ｂをシェル外筒９の位置決めガイド孔９３ｂの反時計回り方向の端部に移動させる。これにより、筒部３１を内筒部７１及び外筒部９１の少なくとも一方と摺動させ、フランジ部３３を内筒フランジ部７３及び外筒フランジ部９３の少なくとも一方と摺動させる。この摺動により、シールド部材３や摺動相手の酸化被膜を除去し、シールド部材３とシェル内筒７やシェル外筒９との導通性を良くする。【選択図】図２
2015002146.tif 000002
【特許請求の範囲】
【請求項１】
筒状のシールド部材の端部にシールドシェルを接続して構成されたシールドユニットにおいて、
前記シールドシェルは、円筒状の内筒部の端部に内筒フランジ部を連設したシェル内筒と、前記内筒部が圧入される円筒状の外筒部の端部に外筒フランジ部を連設したシェル外筒とを有しており、
前記内筒フランジ部は、前記外筒部と該外筒部に圧入した前記内筒部とによる前記シールド部材の挟持状態において互いに係合する位置決めピン及び位置決めガイド孔のうち一方を有しており、前記外筒フランジ部は、前記位置決めピン及び前記位置決めガイド孔のうち他方を有しており、
前記位置決めピン及び前記位置決めガイド孔は、前記挟持状態における前記シェル内筒の前記シェル外筒に対する、前記内筒部及び前記外筒部の周方向における相対的回転位置を位置決めガイドする、
ことを特徴とするシールドユニット。
【請求項２】
前記内筒部及び前記外筒部のいずれか一方に、前記挟持状態の前記シールド部材に係止されて該シールド部材の前記周方向への相対移動を規制する係止部が設けられていることを特徴とする請求項１記載のシールドユニット。
【請求項３】
前記内筒フランジ部及び前記外筒フランジ部は、前記挟持状態において前記シールド部材の端部を挟持することを特徴とする請求項１又は２記載のシールドユニット。
【請求項４】
前記内筒フランジ部及び前記外筒フランジ部は取付孔をそれぞれ有しており、前記位置決めガイド孔の前記周方向における一端に前記位置決めピンが位置する回転位置において、前記内筒フランジ部及び前記外筒フランジ部の前記取付孔どうしが重なるように構成されていることを特徴とする請求項１、２又は３記載のシールドユニット。
【発明の詳細な説明】
【技術分野】
【０００１】
本発明は、シールド部材の開口端にシールドシェルを接続して構成されたシールドユニットに関する。
【背景技術】
【０００２】
電気自動車（ＥＶ）やハイブリッド電気自動車（ＨＥＶ）等の高電圧を取り扱うシールドケーブルには、シールドケースと電気的に接続されるシールドユニットが設けられる。このシールドユニットは、電線束を覆う編組線等のシールド部材と、シールド部材の開口端に接続されるシールドシェルとを有している。接地されたシールドケースにシールドシェルを固定すると、シールドシェルを介してシールド部材がシールドケースと電気的に導通し、シールド部材で覆った電線束が、高周波ノイズに対するシールド性を有するシールドケーブルとして機能するようになる。
【０００３】
ところで、シールド部材とシールドシェルとの接続は、主に、加締めリングを用いるものと、シールドシェルを構成する内筒及び外筒を用いるものとがある。前者の場合は、シールドシェルの筒状部に外装したシールド部材の端部を外側から加締め用リングで加締めて、シールド部材を筒状部に固定する。後者の場合は、内筒と外筒とでシールド部材の端部を挟持してシールドシェルに対しシールド部材を固定する（以上、特許文献１）。
【先行技術文献】
【特許文献】
【０００４】
【特許文献１】特開２００２−３２９５５７号公報
【発明の概要】
【発明が解決しようとする課題】
【０００５】
上述した従来の接続方法のうち加締めリングを用いる前者の方法では、加締め機等の設備を必要とするので加工費が嵩んでしまう。また、内筒と外筒とでシールド部材を挟持する後者の方法では、シールド部材やシールドシェルがアルミニウム等で形成されている場合に、表面を覆う酸化被膜が内筒や外筒との接触部分における導通性を低下させるので、所望のシールド性を確保するために工夫が必要となる。
【０００６】
本発明は前記事情に鑑みなされたもので、本発明の目的は、シールド部材やシールドシェルの酸化被膜を加工機によらず除去してシールド部材とシールドシェルとを導通性良く接続することができるシールドユニットを提供することにある。
【課題を解決するための手段】
【０００７】
上述した目的を達成するため、請求項１に記載した本発明のシールドユニットは、
筒状のシールド部材の端部にシールドシェルを接続して構成されたシールドユニットにおいて、
前記シールドシェルは、円筒状の内筒部の端部に内筒フランジ部を連設したシェル内筒と、前記内筒部が圧入される円筒状の外筒部の端部に外筒フランジ部を連設したシェル外筒とを有しており、
前記内筒フランジ部は、前記外筒部と該外筒部に圧入した前記内筒部とによる前記シールド部材の挟持状態において互いに係合する位置決めピン及び位置決めガイド孔のうち一方を有しており、前記外筒フランジ部は、前記位置決めピン及び前記位置決めガイド孔のうち他方を有しており、
前記位置決めピン及び前記位置決めガイド孔は、前記挟持状態における前記シェル内筒の前記シェル外筒に対する、前記内筒部及び前記外筒部の周方向における相対的回転位置を位置決めガイドする、
ことを特徴とする。
【０００８】
請求項１に記載した本発明のシールドユニットによれば、シェル外筒の外筒部にシェル内筒の内筒部を圧入して外筒部と内筒部とでシールド部材を挟持させることで、外筒フランジ部と内筒フランジ部の位置決めピンが位置決めガイド孔に挿入される。そして、内筒部及び外筒部の周方向にシェル内筒とシェル外筒とを相対的に回転移動させると、内筒部と外筒部とがシールド部材を挟持したままの状態で、位置決めガイド孔に挿入された位置決めピンが位置決めガイド孔内を移動して、シェル内筒に対してシェル外筒が回転方向に位置決めガイドされる。
【０００９】
この回転移動の際、内筒部及び外筒部に挟持されたシールド部材と、内筒部及び外筒部の少なくとも一方とが、圧接したまま摺動し、内筒部及び外筒部の少なくとも一方とシールド部材との酸化被膜が、摺動相手との摩擦によって除去される。これにより、内筒部及び外筒部の少なくとも一方とシールド部材との酸化被膜が除去された部分で、酸化被膜を介しない良好な導通性が確保される。
【００１０】
したがって、シールド部材やシールドシェルの酸化被膜を加工機によらず除去してシールド部材とシールドシェルとを導通性良く接続することができる。
【００１１】
また、請求項２に記載した本発明のシールドユニットは、請求項１に記載した本発明のシールドユニットにおいて、前記内筒部及び前記外筒部のいずれか一方に、前記挟持状態の前記シールド部材に係止されて該シールド部材の前記周方向への相対移動を規制する係止部が設けられていることを特徴とする。
【００１２】
請求項２に記載した本発明のシールドユニットによれば、請求項１に記載した本発明のシールドユニットにおいて、内筒部及び外筒部の周方向にシェル内筒とシェル外筒とを相対的に回転移動させると、内筒部と外筒部とで挟持されたシールド部材が、内筒部と外筒部のうち係止部を有する方と一緒に回転し、内筒部と外筒部のうち係止部を有しない方に対して摺動する。
【００１３】
このため、シェル内筒とシェル外筒とを相対的に回転移動させた際に、内筒部と外筒部のいずれか一方に対するシールド部材の摺動と、それによる内筒部と外筒部のいずれか一方及びシールド部材の酸化被膜の除去とが確実に発生するようにして、シールド部材とシールドシェルとを導通性良く接続することができる。
【００１４】
さらに、請求項３に記載した本発明のシールドユニットは、請求項１又は２に記載した本発明のシールドユニットにおいて、前記内筒フランジ部及び前記外筒フランジ部は、前記挟持状態において前記シールド部材の端部を挟持することを特徴とする。
【００１５】
請求項３に記載した本発明のシールドユニットによれば、請求項１又は２に記載した本発明のシールドユニットにおいて、シェル内筒とシェル外筒とによるシールド部材の挟持が、内筒部及び外筒部の間に加えて内筒フランジ部及び外筒フランジ部の間でも行われ、シールド部材とシールドシェルとの接触面積が増える。
【００１６】
このため、シェル内筒とシェル外筒とを相対的に回転移動させた際に、内筒フランジ部と外筒フランジ部の少なくとも一方とシールド部材との間でも摺動が起こるようにして、摺動による内筒フランジ部と外筒フランジ部の少なくとも一方とシールド部材との酸化被膜除去をより広範囲で発生させることができる。これにより、シールド部材とシールドシェルとをより一層導通性良く接続することができる。
【００１７】
また、請求項４に記載した本発明のシールドユニットは、請求項１、２又は３に記載した本発明のシールドユニットにおいて、前記内筒フランジ部及び前記外筒フランジ部は取付孔をそれぞれ有しており、前記位置決めガイド孔の前記周方向における一端に前記位置決めピンが位置する回転位置において、前記内筒フランジ部及び前記外筒フランジ部の前記取付孔どうしが重なるように構成されていることを特徴とする。
【００１８】
請求項１、２又は３に記載した本発明のシールドユニットにおいて、挟持したシールド部材との導通状態を確保したシールドシェルは、シェル内筒及びシェル外筒の各取付孔を重ねて挿通したねじによりシールドケースに取り付け固定される。
【００１９】
そして、請求項４に記載した本発明のシールドユニットによれば、シールド部材を挟持したシェル内筒及びシェル外筒を相対的に回転移動させて位置決めピンを位置決めガイド孔の周方向一端に位置させると、シェル内筒及びシェル外筒の各取付孔が重なる。
【００２０】
このため、内筒部及び外筒部の少なくとも一方とシールド部材とを摺動させるための回転移動の際に、位置決めガイド孔の周方向一端に対して位置決めピンを当接させることで、シェル内筒とシェル外筒の両取付孔を容易に重ね合わせて、シールドケースへの取り付け可能な状態にすることができる。
【発明の効果】
【００２１】
本発明によれば、シールド部材やシールドシェルの酸化被膜を加工機によらず除去してシールド部材とシールドシェルとを導通性良く接続することができる。
【図面の簡単な説明】
【００２２】
【図１】本発明の一実施形態に係るシールドユニットを示す分解斜視図である。
【図２】（ａ），（ｂ）は図１のシールドシェルの組み付け手順を示す斜視図である。
【図３】図１のシェル外筒とシェル内筒とによりシールド部材を挟持したシールドユニットの組み付け状態を示す断面図である。
【図４】本発明の他の実施形態に係るシールドユニットのシールドシェルのシェル外筒を示す斜視図である。
【図５】図４のシェル外筒と図１のシェル内筒とによりシールド部材を挟持したシールドユニットの組み付け状態を示す断面図である。
【発明を実施するための形態】
【００２３】
以下、本発明の一実施形態に係るシールドユニットについて図面を参照して説明する。以下の図面の記載において、同一または類似の部分には、同一または類似の符号を付している。ただし、図面は模式的なものであり、各寸法の比率などは現実のものとは異なることに留意すべきである。
【００２４】
したがって、具体的な寸法などは以下の説明を参酌して判断すべきである。また、図面相互間においても互いの寸法の関係や比率が異なる部分が含まれ得る。
【００２５】
図１は本発明の一実施形態に係るシールドユニットを示す分解斜視図である。図１に示す本実施形態のシールドユニット１は、複数の電線（図示せず）を覆ってシールドケーブル（図示せず）を構成するために用いられる。シールドユニット１は、不図示の電線束を覆うアルミニウムや銅等の金属製の編組線による筒状のシールド部材３と、シールド部材３に接続される金属製のシールドシェル５を有しており、シールドシェル５は、シェル内筒７とシェル外筒９とで構成されている。
【００２６】
シェル内筒７は、円筒状の内筒部７１の端部に円盤状の内筒フランジ部７３を連設して構成されており、シェル外筒９は、内筒部７１が圧入される円筒状の外筒部９１の端部に円盤状の外筒フランジ部９３を連設して構成されている。外筒部９１には、内側に凸の環状突出部９１ａが形成されており、外筒部９１に圧入された内筒部７１に環状突出部９１ａが圧接するように構成されている。また、内筒フランジ部７３と外筒フランジ部９３の外周縁には、４つの取付孔７３ａ，９３ａが９０度ずつ位相をずらしてそれぞれ形成されている。
【００２７】
内筒フランジ部７３には、内筒部７１側に向けて３つの位置決めピン７３ｂが立設されている。但し、図１中では１つが内筒部７１により隠れて２つ図示されている。２つの位置決めピン７３ｂ．７３ｂは、周方向に等間隔（１２０度ずつ）をおいて内筒部７１と同心円上に配置されている。
【００２８】
一方、外筒フランジ部９３には３つの位置決めガイド孔９３ｂが貫通形成されている。但し、図１中では１つが外筒部９１により隠れて２つ図示されている。各位置決めガイド孔９３ｂはそれぞれ、外筒部９１と同心円上に延在する円弧状の長孔で構成されており、内筒部７１を外筒部９１に圧入した状態で、図２（ａ），（ｂ）に示すように、シェル内筒７の各位置決めピン７３ｂがそれぞれ挿通される。
【００２９】
なお、シェル外筒９は、図２（ｂ）に示すように、外筒フランジ部９３の外筒部９１側の面から見て各位置決めピン７３ｂが各位置決めガイド孔９３ｂの反時計回り方向の端部に位置するときに、各取付孔９３ａが内筒フランジ部７３の各取付孔７３ａと重なるように構成されている。
【００３０】
シェル内筒７の位置決めピン７３ｂと対応するシェル外筒９の位置決めガイド孔９３ｂは、２つでも良く４つ以上でも良い。また、周方向に隣り合う２つの位置決めピン７３ｂどうしや位置決めガイド孔９３ｂどうしの間隔は、等間隔でも良く、シェル外筒９の外筒部９１に対するシェル内筒７の内筒部７１の圧入位置を周方向において特定の位置とするために、不等間隔としてもよい。
【００３１】
次に、上述のように構成された本実施形態のシールドシェル５にシールド部材３を接続する手順について説明する。
【００３２】
まず、シールド部材３の端部を折り曲げてフランジ状とし、シールド部材３に図１に示すような筒部３１とフランジ部３３とを形成する。そして、内筒部７１を外筒部９１に圧入してシェル内筒７とシェル外筒９とを組み付け、その際に、図３に示すように、内筒部７１と外筒部９１とによりシールド部材３の筒部３１を挟持すると共に、内筒フランジ部７３と外筒フランジ部９３とによりシールド部材３のフランジ部３３を挟持する。
【００３３】
このとき、シェル内筒７をシェル外筒９に対して、図２（ａ）に示すように、各取付孔７３ａ，９３ａどうしが重ならず、かつ、各位置決めピン７３ｂがシールド部材３のフランジ部３３を突き抜けて、または、フランジ部３３ごと、対応する各位置決めガイド孔９３ｂにそれぞれ挿入されるように組み付ける。
【００３４】
次に、図２（ｂ）に示すように、シェル内筒７の各位置決めピン７３ｂがシェル外筒９の各位置決めガイド孔９３ｂの反時計回り方向の端部にそれぞれ移動するまで、シェル外筒９に対してシェル内筒７を反時計回り方向Ｘ（内筒部７や外筒部９の周方向）に相対的に回転移動させる。
【００３５】
このとき、シールド部材３の筒部３１は、これを挟持するシェル内筒７の内筒部７１及びシェル外筒９の外筒部９１のうち少なくとも一方に対して摺動し、同様に、シールド部材３のフランジ部３３は、これを挟持するシェル内筒７の内筒フランジ部７３及びシェル外筒９の外筒フランジ部９３のうち少なくとも一方に対して摺動する。
【００３６】
この摺動により、シールド部材３の筒部３１とその摺動相手である内筒部７１及び外筒部９１のうち少なくとも一方とにおいて、表面の酸化被膜が除去され、また、シールド部材３のフランジ部３３とその摺動相手である内筒フランジ部７３及び外筒フランジ部９３のうち少なくとも一方とにおいて、表面の酸化被膜が除去される。特に、圧入関係にある内筒部７１及び外筒部９１は筒部３１に対して大きい接圧で摺動するので、酸化被膜の除去が促進される。
【００３７】
そして、酸化被膜が除去された部分において、シールド部材３とシェル内筒７やシェル外筒９とが導通性良く電気的に接続される。
【００３８】
したがって、シールド部材３やシールドシェル５の酸化被膜を加工機によらず除去してシールド部材３とシールドシェル５とを導通性良く接続することができる。
【００３９】
なお、シェル外筒９の外筒部９１に、環状突出部９１ａに代えて、図４に示すように、内側に突出する係止部９１ｂを形成してもよい。その場合、シェル内筒７をシェル外筒９に組み付けると、図５に示すように、シェル内筒７の内筒部７１と挟持したシールド部材３の筒部３１に係止部９１ｂが係止される。この係止により、筒部３１の外筒部９１に対する相対回転移動が規制され、シェル内筒７をシェル外筒９に対して相対的に回転させた際には、筒部３１と内筒部７１とが摺動すると共に、フランジ部３３と内筒フランジ部７３とが摺動することになる。
【００４０】
このため、シールド部材３の筒部３１やフランジ部３３をシェル内筒７の内筒部７１や内筒フランジ部７３に対して確実に摺動させて、シールド部材３やシェル内筒７に酸化被膜の除去を確実に発生させ、それによって、シールド部材３とシールドシェル５とを確実に導通性良く接続することができる。
【００４１】
また、上述した係止部９１ｂは、シェル内筒７の内筒部７１の外周面に突設しても良い。さらに、上述した実施形態とは逆に、外筒フランジ部９３に位置決めピンを、内筒フランジ部７３に位置決めガイド孔をそれぞれ設けても良い。また、シールド部材３の端部を折り曲げて図１に示すようなフランジ部３３を形成するのを止めて、シールド部材３の端部もシェル内筒７の内筒部７１とシェル外筒９の外筒部９１とで挟持するようにしても良い。
【００４２】
さらに、本発明が適用されるシールドユニットのシールド部材３は、表面に酸化被膜を有する金属材料であれば編組線に限定されない。
【産業上の利用可能性】
【００４３】
本発明は、シールドケーブルの端末に取り付けられるシールドユニットに適用して極めて有用である。
【符号の説明】
【００４４】
１  シールドユニット
３  シールド部材
５  シールドシェル
７  シェル内筒
９  シェル外筒
３１  筒部
３３  フランジ部
７１  内筒部
７３  内筒フランジ部
７３ａ，９３ａ  取付孔
７３ｂ  位置決めピン
９１  外筒部
９１ａ  環状突出部
９１ｂ  係止部
９３  外筒フランジ部
９３ｂ  位置決めガイド孔
Ｘ  反時計回り方向（周方向）
【図１】
2015002146.tif 000003
【図２】
2015002146.tif 000004
【図３】
2015002146.tif 000005
【図４】
2015002146.tif 000006
【図５】
2015002146.tif 000007